(57)【要約】      （修正有）【課題】自動車のタイヤホイールに接着するタイプのバランスウエイトの作業性を向上する繰出し装置を提供する。【解決手段】バランスウエイト繰出し装置２の内部に軸部３を設け、軸部３に回転自在に支持された巻回リール６を配備する。そして、バランスウエイト１を巻回リール６に巻回して収納するとともに、バランスウエイト１を導出する導出窓４の上部近傍かつバランスウエイト繰出し装置２内面側に永久磁石５を配備して、バランスウエイト１の先端を磁着によって固定する。更に、バランスウエイト繰出し装置２の下部に設けた嵌合溝２ｄに上向きの凹部を有する台座を嵌合して、バランスウエイト繰出し装置２を固定する。これにより、バランスウエイト繰出し装置２からバランスウエイト１をスムーズに導出できるとともに、バランスウエイト繰出し装置２の横転が防止され、作業性が向上する。【選択図】図２
0003200248.tif 000002
【実用新案登録請求の範囲】
【請求項１】
細長いテープ状の接着シートの上にウエイトブロックを複数個並べたバランスウエイトが、接着シート側を内側として渦巻き状に巻回して繰出し装置に収納され、この繰出し装置に前記バランスウエイトの導出を可能とした導出窓を形成し、この窓から前記バランスウエイトの先端側が導出されているバランスウエイトの繰出し装置において、
繰出しケースの内部にケースと一体に軸部を形成し、この軸部に回転自在に支持された巻回リールを設け、この巻回リールにバランスウエイトを巻回して収納したことを特徴とするバランスウエイトの繰出し装置。
【請求項２】
前記繰出しケースの内側面で前記導出窓の近傍に永久磁石を取り付けたことを特徴とする請求項１に記載のバランスウエイトの繰出し装置。
【請求項３】
前記繰出しケースの下部に嵌合溝を形成し、この嵌合溝に台座の上向き凹部を嵌合して繰出しケースを起立状態に支持すること特徴とする請求項１に記載のバランスウエイトの繰出し装置。
【請求項４】
前記巻回リールが、２枚の同一形状の円板形の鍔部材を向き合うように連結した構造で、両鍔部材は、中心に開孔を有し、この開孔の孔縁に沿う小径突条と、小径突条とは同心円的な大径突条とを備え、小径突条と大径突条の中間には嵌合凸部及び嵌合穴部を形成し、これら嵌合凸部と嵌合穴部を嵌合して両鍔部材を連結することにより、小径突条により挿通孔をまた両大径突条によりリール軸をそれぞれ形成することを特徴とする請求項１に記載のバランスウエイトの繰出し装置。
【請求項５】
前記繰出しケースが、周辺に垂直壁を有する２枚の同一形状の方形のケース板を向き合うように連結した構造で、両ケース板は、中心に開孔を有し、ケース板の板面にこの開孔の孔縁に沿う円形突条を備え、さらに両ケース板の四隅の板面より先端に鉤片を有する係合突起を起立し、これら係合突起を係合して両ケース板を連結することにより、垂直壁同士を閉じ合わせて中空の前記繰出しケースを形成すると共に、円形突条を接続して前記軸部を形成することを特徴とする請求項１に記載のバランスウエイトの繰出し装置。
【請求項６】
前記ケース板は、中心を通る軸線に対して線対称となるように、導出窓を形成する切欠き部と嵌合溝を形成する溝とを設けたことを特徴とする請求項５に記載のバランスウエイトの繰出し装置。
【考案の詳細な説明】
【技術分野】
【０００１】
本考案はバランスウエイトの繰出し装置に関する。自動車のタイヤホイールに取り付けるバランスウエイトにはクリップ式と接着式があるが、本考案の繰出し装置は接着式用である。
【背景技術】
【０００２】
接着式のバランスウエイトは、裏に剥離テープを貼り合わせた細長い接着シートに同じ重さのウエイトブロックを多数並べた構造で、現場ではこれを適宜の長さに切断し、必要な個数のウエイトブロックを切り取り、裏の剥離テープをはがしてタイヤホイールに接着する。接着シートは長いため、通常は折り畳むか渦巻きに巻くかして繰出し装置に保管し、現場で必要な長さを巻きほどいて使用する。
【０００３】
このようなバランスウエイトの繰出し装置として、例えば実登３０６８４７５号がある。これは、バランスウエイトを渦巻き状に巻回した状態で容器に収納し、その一部を容器側面の導出窓から外に出しておき、使用するときは外に出た部分を掴んで容器から引っ張り出し、適宜の長さで切断して必要な個数のウエイトブロックを切り取る。切断後は、導出窓に隣接して設けた引き込み防止窓に、残りの端部を差し込んで仮止めする。これによれば、全長が長いバランスウエイトでも渦巻き状に巻いて保管できるから保管スペースが小さくて足り、またバランスウエイトの紛失も回避できるので作業性が向上する。
【先行技術文献】
【特許文献】
【０００４】
【特許文献１】実用新案登録第３０６８４７５号
【考案の概要】
【考案が解決しようとする課題】
【０００５】
しかし上記の例では、以下の問題がある。
第一に、バランスウエイトを容器から引き出すのに力がいる。バランスウエイトは個数が多いと重く、渦巻きの巻きほどきに抵抗がかかって容器から簡単には引き出せない。
【０００６】
第二に、引き込み防止窓による仮止めに手間がかかる。引き込み防止窓は、バランスウエイトがみだりに外れないように開口面積が狭く形成されている。このためバランスウエイトの先端を挿入する作業が煩雑で、バランスウエイトを引き出すたびに時間を取られ効率的でない。
【０００７】
第三に、繰出し装置を縦置きすると転倒し易い。繰出し装置はバランスウエイトを巻回して収納するため、巻回時の形状に合わせて、正面の幅が側面に対して狭い。このため、横向きの力がかかると容器が横転しやすい。特に、繰出し装置からバランスウエイトを引き出す際に、引っ張る力で繰出し装置の重心が不安定となり、容器が横転しやすい。
【０００８】
これらの問題を解決するため、本考案は、バランスウエイトを巻回リールに巻回し、この巻回リールを繰出し装置の内部に回転自在に設け、巻回リールを回転して繰出し装置に開けた導出窓よりバランスウエイトを外部に引き出す。
また、導出窓に近い繰出しケースの内側面に永久磁石を配備し、切り取った残りのバランスウエイトを固定する。
さらに繰出し装置の下部に設けた嵌合溝に上向きの凹部を有する台座を嵌合して繰出し装置を起立状態に支持する。
【課題を解決するための手段】
【０００９】
請求項１の考案は、細長いテープ状の接着シートの上にウエイトブロックを複数個並べたバランスウエイトが、接着シート側を内側として渦巻き状に巻回して繰出し装置に収納され、この繰出し装置に前記バランスウエイトの導出を可能とした導出窓を形成し、この窓から前記バランスウエイトの先端側が導出されているバランスウエイトの繰出し装置において、繰出しケースの内部にケースと一体に軸部を形成し、この軸部に回転自在に支持された巻回リールを設け、この巻回リールにバランスウエイトを巻回したことを特徴とするバランスウエイトの繰出し装置を提供する。
【００１０】
請求項２の考案は、請求項１の考案において、前記繰出しケースの内側面で前記導出窓の近傍に永久磁石を取り付けたことを特徴とする。
【００１１】
請求項３の考案は、請求項１の考案において、前記繰出しケースの下部に嵌合溝を形成し、この嵌合溝に台座の上向き凹部を嵌合して繰出しケースを起立状態に支持することを特徴とする。
【００１２】
請求項４の考案は、請求項１の考案において、前記巻回リールが、２枚の同一形状の円板形の鍔部材を向き合うように連結した構造で、両鍔部材は、中心に開孔を有し、この開孔の孔縁に沿う小径突条と、小径突条とは同心円的な大径突条とを備え、小径突条と大径突条の中間には嵌合凸部及び嵌合穴部を形成し、これら嵌合凸部と嵌合穴部を嵌合して両鍔部材を連結することにより、小径突条により挿通孔をまた両大径突条によりリール軸をそれぞれ形成することを特徴とする。
【００１３】
請求項５の考案は、請求項１の考案において、前記繰出しケースが、周辺に垂直壁を有する２枚の同一形状の方形のケース板を向き合うように連結した構造で、両ケース板は、中心に開孔を有し、ケース板の板面にこの開孔の孔縁に沿う円形突条を備え、さらに両ケース板の四隅の板面より先端に鉤片を有する係合突起を起立し、これら係合突起を係合して両ケース板を連結することにより、垂直壁同士を閉じ合わせて中空の前記繰出しケースを形成すると共に、円形突条を接続して前記軸部を形成することを特徴とする。
【００１４】
請求項６の考案は、請求項５の考案において、前記ケース板は、中心を通る軸線に対して線対称となるように、導出窓を形成する切欠き部と嵌合溝を形成する溝とを設けたことを特徴とする。
【考案の効果】
【００１５】
請求項１の考案は、繰出しケースの内部にケースと一体に軸部を形成し、この軸部に回転自在に支持された巻回リールを設け、この巻回リールにバランスウエイトを巻回して収納する。この構成によれば、バランスウエイトを繰出し装置から巻きほどき引き出す際に、巻回リールが回転するので、繰出し装置内部とバランスウエイトとの間の摩擦を大幅に軽減して、容易に巻きほどくことができる。このためバランスウエイトを繰出し装置から引き出す労力が大幅に軽減され、スムーズに引き出すことができる。これにより、作業性が大幅に向上する。
【００１６】
請求項２の考案は、請求項１の考案において、繰出しケースの内側面で前記導出窓の近傍に永久磁石を取り付ける。これにより導出窓から導出された前記バランスウエイトの先端側が永久磁石の磁力によって繰出し装置の外面側に磁着して固定できる。その結果、バランスウエイトの先端を引き込み防止窓に挿入し、係止して固定する方法と比べ、極めて容易にバランスウエイトの先端を固定することができ作業性が向上する。
【００１７】
請求項３の考案は、請求項１の考案において、前記繰出しケースの下部に嵌合溝を形成し、この嵌合溝に台座の上向き凹部を嵌合して繰出しケースを起立状態に支持する。この構成によれば、繰出し装置の正面の幅が側面に対して狭く形成されても、台座に幅を設けて繰出し装置が起立状態に支持されるため、横転しにくくなる。これにより、バランスウエイトを繰出し装置から引き出す際に、繰出し装置が横転する事態が防止されて作業性が向上する。
【００１８】
請求項４の考案は、請求項１の考案において、前記巻回リールが、２枚の同一形状の円板形の鍔部材を向き合うように連結した構造で、両鍔部材は、中心に開孔を有し、この開孔の孔縁に沿う小径突条と、小径突条とは同心円的な大径突条とを備え、小径突条と大径突条の中間には嵌合凸部及び嵌合穴部を形成し、これら嵌合凸部と嵌合穴部を嵌合して両鍔部材を連結することにより、小径突条により挿通孔をまた両大径突条によりリール軸をそれぞれ形成する。この構成によれば、同一形状の鍔部材を連結して巻回リールを形成できるため、巻回リールの製造コストを低減できる。更に、嵌合凸部と嵌合穴部を嵌合して両鍔部材を簡便に連結できるから、利便性が高い。
【００１９】
請求項５の考案は、請求項１の考案において、前記繰出しケースが、周辺に垂直壁を有する２枚の同一形状の方形のケース板を向き合うように連結した構造で、両ケース板は、中心に開孔を有し、ケース板の板面にこの開孔の孔縁に沿う円形突条を備え、さらに両ケース板の四隅の板面より先端に鉤片を有する係合突起を起立し、これら係合突起を係合して両ケース板を連結することにより、垂直壁同士を閉じ合わせて中空の前記繰出しケースを形成すると共に、円形突条を接続して前記軸部を形成する。この構成によれば、２枚の同一形状の方形のケース板を向き合うように連結して繰出し装置の外面を成す繰出しケースを形成する。このため繰出しケースの形成にあたり、同一形状のケース板を製造すればよく製造コストを低減できる。
【００２０】
請求項６の考案は、請求項５の考案において、前記ケース板は、中心を通る軸線に対して線対称となるように、導出窓を形成する切欠き部と嵌合溝を形成する溝とを設ける。この構成によれば、ケース板を組み合わせて繰出し装置を形成すると、繰出し装置の導出窓及び嵌合溝が、側面の中心に対して上下対称に形成される。このため繰出し装置の上面及び底面のどちらを設置面に向けて設置しても良く利便性が高い。
【図面の簡単な説明】
【００２１】
【図１】本考案の実施の形態を示すバランスウエイト繰出し装置の斜視図である。
【図２】（ａ）バランスウエイト繰出し装置の内部を示す断面図である。（ｂ）導出窓近傍の部分拡大断面図である。
【図３】（ａ）ケース板の斜視図である。（ｂ）嵌合片（筒状部分）の断面図である。（ｃ）嵌合片（爪状部分）の断面図である。
【図４】（ａ）嵌合前の巻回リールの正面図である。（ｂ）嵌合後の巻回リールの正面図である。（ｃ）嵌合凸部と嵌合穴部の断面図である。
【図５】巻回リールの側面図である。
【図６】（ａ）台座の正面図である。（ｂ）バランスウエイト繰出し装置に台座を嵌合する手順を示す斜視図である。
【考案を実施するための形態】
【００２２】
本考案の実施の形態を図に基づいて説明する。バランスウエイト１は、裏に剥離テープを貼った細長い接着シート１ｂ上に金属製のウエイトブロック１ａを連設した公知の形態である。図１において、バランスウエイト繰出し装置２はポリプロピレン等の汎用プラスチックで形成した四辺が比較的薄肉の六面体に形成する。バランスウエイト繰出し装置２の側面中央には、円筒状に中空とした軸部３を設ける。軸部３はバランスウエイト繰出し装置２の外面を成す繰出しケース８Ａに一体形成され、バランスウエイト繰出し装置２内部で後述する巻回リール６を回転自在に支持する。更に、繰出し装置２の、互いに対向する薄肉の立壁における一方の立壁２ａの下端部近傍及び上端部近傍にそれぞれ導出窓４を設ける。これにより、バランスウエイト繰出し装置２を上下にひっくり返してもバランスウエイト繰出し装置２の下部に導出窓４が位置する構成となるため、バランスウエイト繰出し装置２の上下を取り違えることがなく利便性が高い。立壁２ａの下端部近傍の導出窓４よりバランスウエイト１の先端を導出し、上方に折るようにして立壁２ａに接着シート１ｂ側を張り付けるように固定する。このときバランスウエイト１の先端は、後述する永久磁石５により磁着される。
【００２３】
バランスウエイト１の使用時は、バランスウエイト１の先端を引っ張り、必要量を立壁２ａに設けた導出窓４から引き出す。バランスウエイト繰出し装置２の上部と下部には、繰出し装置２の外壁を凹状に窪ませた嵌合溝２ｄがそれぞれ２つずつ設けられており、この嵌合溝２ｄに後述する台座７を嵌合して繰出し装置２の横転を防止する。
【００２４】
図２（ａ）はバランスウエイト繰出し装置２の内部であり、バランスウエイト繰出し装置２の繰出しケース８Ａに一体形成された中空円筒状の軸部３に、巻回リール６を回転自在に支持する。そして、巻回リール６にバランスウエイト１を、接着シート１ｂ側を内側として渦巻き状に巻回して収納する。この構成により、導出窓４から導出したバランスウエイト１の先端を引っ張ると、巻回リール６が回転することで、バランスウエイト１とバランスウエイト繰出し装置２の間の摩擦は大幅に軽減される。このことでスムーズにバランスウエイト１をバランスウエイト繰出し装置２から引き出すことができるため、作業性が向上する。また、巻回リール６にバランスウエイト１を、接着シート１ｂ側を内側として渦巻き状に巻回して収納する構成により、導出窓４よりバランスウエイト１の先端を導出し、更に、上方に折るようにして立壁２ａに張り付ける際に、隙間なく密着状態で貼り付けることができる。これにより、後述する永久磁石５がウエイトブロック１ａを良く磁着し、確実にバランスウエイト１の端部を固定できる。
【００２５】
図２（ｂ）は導出窓４近傍の部分拡大断面図であり、前記導出窓４の上部近傍でかつバランスウエイト繰出し装置２の内面側に永久磁石５を配備する。この構成により、導出窓４から導出したバランスウエイト１の先端を、上方に折るだけで、立壁２ａに磁着して固定できる。これにより、従来の方法と比べ、バランスウエイト１の固定は極めて容易となり、作業性が向上する。
【００２６】
図３（ａ）は、ケース板８の斜視図である。バランスウエイト繰出し装置２の外面を成す繰出しケース８Ａは、２つの同一形状のケース板８を組み合わせて形成される。つまり、図１中に示した立壁２ａの外周をめぐる実線部分で、繰出しケース８Ａは２つのケース板８に分離できる。
ケース板８は、平面方形状の底板の四周に垂直壁を立設し、底板に対向する面は、開放している。ケース板８には、組み合わせたときお互いに対向して嵌合する嵌合片２ｂを底板の四隅に突設する。詳細には、嵌合片２ｂは図３（ａ）に示すように円形突条２ｂ１と係合突起２ｂ２の２つから形成される。図３において上方に位置する円形突条２ｂ１は、下方に位置する円形突条２ｂ１より、径を大きく設けることで、ケース板８を組み合わせ時に、上方と下方の円形突条２ｂ１が嵌合するように形成する。具体的には、図３（ｂ）に示すように、円形突条２ｂ１は径の小さい方が径の大きい方に挿入されて接続される。円形突条２ｂ１を設けることによって、ケース板８を組み合わせる際に、対向するケース板８同士の組み合わせの位置を容易に定めることができる。係合突起２ｂ２は図３（ｃ）に示すように、互いの鉤片が引っかかるように嵌合して、組み合わせたケース板８が分離することを防止する。
【００２７】
バランスウエイト繰出し装置２の外面を成す繰出しケース８Ａの形成は、一方のケース板８を上下１８０度回転して、他方のケース板８と対向し、互いの開放面をぴったり合わせるように組み合わせる。これにより、お互いに対向する嵌合片２ｂが、その係合突起２ｂ２は互いに係止し、かつ、その円形突条２ｂ１は径の大きい方が径の小さいほうに納まるように接続して嵌合する。このように、嵌合片２ｂが互いに嵌合することにより、２つのケース板８が連結され、繰出し装置２の外面を成す繰出しケース８Ａが形成される。これにより、同一形状のケース板８を組み合わせて繰出しケース８Ａが形成できるため、部品点数の増加を抑え、製造コストを低減できる。嵌合片２ｂによって嵌合すると、円形突条２ｂ１がケース板８同士のズレを防止し、係合突起２ｂ２がケース板８同士の分離を防止するため、組み合わせは簡便でありながら、容易にケース板８同士は分離しない。更に、ケース板８Ａの垂直壁には２つの切欠き部２ｃを設ける。このことで、ケース板８を組み合わせた際に、切欠き部２ｃ同士が向き合って立壁２ａに上下２つの導出窓４が形成できる。その結果、上下どちらからでもバランスウエイト１を導出でき、利便性が高い。
【００２８】
巻回リール６は、図４（ａ）、図４（ｂ）、図５に示すように、２枚の同一形状の円板形の鍔部材６ａを互いに連結することによって形成する。巻回リール６の形成は、一方の鍔部材６ａを、他方の鍔部材６ａと対向し、一方の鍔部材６ａの嵌合凸部６ｄと他方の鍔部材６ａの嵌合穴部６ｅが同一直線状に来るように調節してから、互いの大径突条６ｇをぴったり合わせるように組み合わせる。
【００２９】
鍔部材６ａは、図５に示すように、中心に開孔６ｂを有し、この開孔６ｂの孔縁に沿う小径突条６ｃと、小径突条６ｃとは同心円的な大径突条６ｇとを備え、小径突条６ｃと大径突条６ｇの中間には嵌合凸部６ｄ及び嵌合穴部６ｅを形成する。そして、一方の鍔部材６ａの嵌合凸部６ｄと、他方の鍔部材６ａの嵌合穴部６ｅを嵌合することにより、両鍔部材６ａが連結される。両鍔部材６ａを連結すると、図４（ｂ）に示すように、小径突条６ｃにより挿通孔６Ｂが、また両大径突条６ｇによりリール軸６Ｇがそれぞれ形成される。
【００３０】
図４（ｃ）に示されるように、嵌合凸部６ｄは、矢尻状の突起６ｄ１を２つ僅かな隙間を設けて近接して突設する。嵌合穴部６ｅは、入り口の内周面に突条６ｅ１を設け、入り口のみやや狭く設けた中空の円筒状に形成する。このように構成することで、嵌合凸部６ｄを嵌合穴部６ｅに挿入して嵌合する場合に、入り口の部分では、２つの矢尻状の突起６ｄ１の先端は隙間を設けたことにより、挿入時の押圧力により径を小さくして突条６ｅ１の狭い部分を通過する。そして、図４（ｃ）中の破線の仮想線で示すように、突起６ｄ１が突条６ｅ１の狭い部分を通過すると、嵌合凸部６ｄの径が元に戻ることで、２つの矢尻状の突起６ｄ１と嵌合穴部６ｅの突条６ｅ１が嵌合して、固定される。この構成により、鍔部材６ａを簡易に連結できるとともに、連結した鍔部材６ａ同士が容易には離れない構成とすることができる。
【００３１】
バランスウエイト繰出し装置２の形成の手順としては、まず、鍔部材６ａ同士を連結して巻回リール６を形成し、巻回リール６にバランスウエイト１を巻回する。次に、巻回リール６の挿通孔６Ｂに軸部３を挿通した状態で、ケース板８同士を組み合わせて、繰出しケース８Ａが形成する。これにより、巻回リール６を繰出し装置２の内部で回転自在に支持するバランスウエイト繰出し装置２が形成できる。
【００３２】
バランスウエイト繰出し装置２は、正面の幅が側面に対して狭く形成されるため、側面から力がかかると横転しやすい。そこで、図６（ａ）に示すような台形状の台座７を繰出し装置２の接地面に設けることが望ましい。台座７は、嵌合溝２ｄに嵌合するように繰出し装置２の正面の幅に合わせた上向き凹部７ａを上辺に形成する。
【００３３】
図６（ｂ）に示すように、台座７を図６（ｂ）の矢印の方向に進めるようにして、繰出し装置２の下部に設けた前後２つの嵌合溝２ｄに上向き凹部７ａを嵌合する。このことで台座７は繰出し装置２に固定されるとともに繰出し装置２を支持する。これにより繰出し装置２の側面に力が加わっても、台形状に形成された台座７の下辺の角が設置面に引っ掛かり、繰出し装置２が横転しにくくなる。その結果、作業時にバランスウエイト繰出し装置２が横転する不都合が解消されて、作業性が向上する。
【符号の説明】
【００３４】
１  バランスウエイト
１ａ  ウエイトブロック
１ｂ  接着シート
２  繰出し装置
２ａ  立壁
２ｂ  嵌合片
２ｂ１  円形突条
２ｂ２  係合突起
２ｃ  切欠き部
２ｄ  嵌合溝
３  軸部
４  導出窓
５  永久磁石
６  巻回リール
６ａ  鍔部材
６Ｂ  挿通孔
６ｂ  開口
６ｃ  小径突条
６ｄ  嵌合凸部
６ｄ１  突起
６ｅ  嵌合穴部
６ｅ１  突条
６ｆ  鍔部
６ｇ  大径突条
６Ｇ  リール軸
７  台座
７ａ  上向き凹部
８  ケース板
８Ａ  繰出しケース
【図１】
0003200248.tif 000003
【図２】
0003200248.tif 000004
【図３】
0003200248.tif 000005
【図４】
0003200248.tif 000006
【図５】
0003200248.tif 000007
【図６】
0003200248.tif 000008